(57)【特許請求の範囲】
【請求項１】
内周面の母線に沿ってカム溝を形成した外筒と、間隙を介して中心軸線方向に積層された複数の仕切板を設けると共に、中心軸線に沿って鍵孔を貫通させた内筒と、この内筒の母線に沿って延在し、内筒の外周部に半径方向に移動可能に案内されると共に、上記カム溝と係合する外側縁が外方に突出する方向に付勢されたロッキングバーとを有し、上記仕切板の間の各スロットに、それぞれ全体の形状が略Ｃ字形で一端部を揺動自在に軸支され、鍵孔に挿通された鍵の側端縁と干渉する方向に付勢されると共に、常態では内筒を軸線方向に貫通するバックアップピンに係止され、かつ自由端部外側縁にロッキングバーの内側縁を受け入れる解錠切欠を形成したタンブラーを挿設し、これらのタンブラー群のそれぞれが鍵孔に挿通された合鍵の対応する溝と係合したとき、各タンブラーの解錠切欠がロッキングバーの内側縁と整合するようにしたものにおいて、少なくとも１個のタンブラーの解錠切欠の開口端縁部に略矩形の小さい切欠を形成し、以て、解錠切欠をロッキングバーの内側縁に揃えるピッキング時、上記略矩形の切欠に隣接する段部を解錠切欠の開口端縁隅部と誤認させるようにしたことを特徴とするレバータンブラー錠。
【請求項２】
上記解錠切欠の開口端縁部に切欠を形成したタンブラーを複数とし、その内の少なくとも１個のタンブラーの切欠の円周方向の寸法を他のものとは異なるように設定したことを特徴とする請求項１記載のレバータンブラー錠。
【発明の詳細な説明】
【０００１】
【発明の属する技術分野】
この発明はレバータンブラー錠（以下単にタンブラー錠という）に係り、特に、悪意の第三者による不正解錠を防止し得るタンブラー錠に関する。
【０００２】
【従来の技術】
周知のレバータンブラー錠は、例えば図１に示すように、内筒１の中心軸方向（紙面方向）に積層して配設され、全体の形状が略Ｃ字形の複数のタンブラー２、２の夫々の一端部を、支軸３により揺動可能に軸支すると共に、タンブラーばね４の弾力により鍵孔５に挿通される鍵の側端縁と干渉する方向に付勢し、常態では、これをバックアップピン６に係止させてタンブラー２の施錠時の角度位置を定める。
【０００３】
一方、タンブラー２の自由端部外側縁の所定の位置に解錠切欠７を形成し、鍵孔５に図示しない合鍵を挿入してその側端縁に刻設された鍵溝を対応するタンブラー２と係合させたとき、解錠切欠７をロッキングバー８の内側縁と整合させ、この状態を解錠状態とする。
【０００４】
上記ロッキングバー８は、内筒１の母線に沿って延在し、内筒１の外周部に半径方向に移動可能に案内されると共に、外筒９の内周面にその母線に沿って形成された断面が例えばＶ字形のカム溝１１と係合する外側縁が外方に突出する方向に付勢されている。
【０００５】
したがって、解錠状態において内筒１を外筒９に対し相対回動させると、ロッキングバー８の外側縁とカム溝１１との間に生じる楔作用により、ロッキングバー８の内側縁が解錠切欠７、７に入り込んでロッキングバーが内筒中心軸方向に移動し、ロッキングバー８がカム溝１１から出て外筒９の内周面に乗り上がるので、内筒１と外筒９の相対回動が可能になる。
【０００６】
【発明が解決しようとする課題】
上記したレバータンブラー錠は、特殊な工具を用いての所謂ピッキングによる不正解錠が不可能ではないことは良く知られている。
【０００７】
そのピッキングは、図１に示すように施錠状態にあるタンブラー錠の鍵孔５に工具を差し込んで内筒１にトルクを与え、他の工具を鍵孔５に差し込んで一のタンブラー２を回動させ、ロッキングバー８の内側縁が解錠切欠７に整合したときの手応えを検知して順次他のタンブラーの解錠切欠をロッキングバーの内側縁に揃えていく如くである。
【０００８】
図１に示す従来のタンブラー錠は、確かに、上記した操作によるピッキングが可能であり、このようなピッキングが可能なタンブラー錠は安全性の点において問題があることは言う迄もない。
【０００９】
そこで、この発明は、ピッキングを防止し得るタンブラー錠を提供し、以って上記した不都合を解消することを目的としている。
【００１０】
【課題を解決するための手段】
上記の目的を達成するため、請求項１に記載の発明は、内周面の母線に沿ってカム溝を形成した外筒と、間隙を介して中心軸線方向に積層された複数の仕切板を設けると共に、中心軸線に沿って鍵孔を貫通させた内筒と、この内筒の母線に沿って延在し、内筒の外周部に半径方向に移動可能に案内されると共に、上記カム溝と係合する外側縁が外方に突出する方向に付勢されたロッキングバーとを有し、上記仕切板の間の各スロットに、それぞれ全体の形状が略Ｃ字形で一端部を揺動自在に軸支され、鍵孔に挿通された鍵の側端縁と干渉する方向に付勢されると共に、常態では内筒を軸線方向に貫通するバックアップピンに係止され、かつ自由端部外側縁にロッキングバーの内側縁を受け入れる解錠切欠を形成したタンブラーを挿設し、これらのタンブラー群のそれぞれが鍵孔に挿通された合鍵の対応する溝と係合したとき、各タンブラーの解錠切欠がロッキングバーの内側縁と整合するようにしたものにおいて、少なくとも１個のタンブラーの解錠切欠の開口端縁部に略矩形の小さい切欠を形成し、以て、解錠切欠をロッキングバーの内側縁に揃えるピッキング時、上記略矩形の切欠に隣接する段部を解錠切欠の開口端縁隅部と誤認させるようにしたことを特徴とする。
【００１１】
また、請求項２に記載の発明は、上記解錠切欠の開口端縁部に切欠を形成したタンブラーを複数とし、その内の少なくとも１個のタンブラーの切欠の円周方向の寸法を他のものとは異なるように設定したことを特徴とする。
【００１２】
【実施例】
以下、この発明の実施例を図２乃至図５を参照して説明する。
この発明の一実施例によるタンブラー錠は、図２に示すように、少なくとも１個のタンブラー２の、解錠切欠７の開口端縁部に切欠１２が形成されている。
【００１３】
図示の実施例では、この切欠１２の形状は略矩形であり、また、解錠切欠７の開口端縁の両側に切欠が形成されている。
【００１４】
通常、後述するピッキング時、解錠切欠７を図２で左方から右方に移動させる（隣接するタンブラーは左右逆向きなので右方から左方に移動させる）ので、この切欠１２は解錠切欠の開口端縁部の一方、すなわち、解錠切欠の左方か右方の一方の部分にのみ形成すればよいが、解錠切欠７を図２で右方に一杯に移動させてから逆向きに戻すピッキングの態様も考えられるので、図示の実施例では解錠切欠７の開口端縁部の両側に切欠１２を形成してある。
【００１５】
そして、この切欠１２の存在のみが従来のレバータンブラー錠と異なり、以下に述べるように、この切欠１２の機能により、この発明によるレバータンブラー錠は理論上ピッキングが不可能になる。
【００１６】
すなわち、従来のレバータンブラー錠をピッキングにより不正解錠するには、内筒１に例えば時計方向或いは反時計方向のトルクを掛けたり弛めたりしつつ、換言すれば、図３でロッキングバー８を内筒の中心軸方向に少し移動させたり戻したりしつつ、図示しないピッキング工具によりタンブラー２を少しずつ右方に移動させる。
【００１７】
そして、ロッキングバー８の内側縁の稜部Ｐが解錠切欠７の開口端縁隅部Ｑを僅かにかすめるときの感覚により、タンブラー２の解錠切欠７がロッキングバー８の内側縁と整合したことを検知するのである。
【００１８】
これに対抗して、この発明によるレバータンブラー錠では、少なくとも１個のタンブラー２の解錠切欠７の開口端縁部に切欠１２が形成されているから、図２に示すようにタンブラー２解錠切欠７がロッキングバー８の内側縁に整合したとき、ロッキングバー８の内側縁の稜部Ｐは解錠切欠の開口端縁の隅部Ｑを検知することができない。
【００１９】
結局、不正解錠しようとする者は、図４に示すように、タンブラー２の解錠切欠７がロッキングバー８の内側縁に整合する以前に、ロッキングバー８の内側縁の稜部Ｐが切欠１２に隣接する段部Ｒを解錠切欠７の開口端縁隅部Ｑと誤認して、切欠１２を形成した全タンブラー２の段部Ｒ、Ｒをロッキングバー８の内側縁稜部Ｐに揃えた時点でピッキングの準備が完了したと勘違いする。
【００２０】
しかしながら、この状態で内筒２を回動させたとき、全タンブラー２、２に切欠１２が形成されている場合には、図５に示すように、外筒９及び内筒１が切欠１２の内筒半径方向の段差だけ僅かに相対回動し、上記稜部Ｐが切欠１２に係止され、それまでの操作が全て無駄になってしまう。
【００２１】
一方、一部のタンブラー２にのみ切欠１２を形成したときには、図３の状態と図４に示す状態とが混在しているから、この場合も結局図５に示すようにロッキングバー８の内筒半径方向の移動が拘束され、内筒１はそれ以上回動することができない。
【００２２】
請求項２に記載の発明によるレバータンブラー錠においては、切欠１２の円周方向、すなわちタンブラー２の外側縁の長さ方向（図２乃至図５で左右方向）の寸法が複数種類あるので、この切欠１２の存在を知っている悪意の第三者がピッキングをするに際し、切欠１２の円周方向の寸法分タンブラー２の回動量を調整しようとしても、その調整量が判らず、結局ピッキングは失敗に終わる。
【００２３】
【発明の効果】
以上の説明から明らかなように、この発明は、少なくとも１個のレバータンブラーのの解錠切欠の開口端縁部に切欠を形成したから、この切欠に隣接する段部を解錠切欠の開口端縁の隅部と誤認させる結果、ピッキングを不可能にする、という所期の効果を奏する。
【００２４】
また、構成が非常に簡単であり、実施が容易である、等種々の効果を奏する。
【図面の簡単な説明】
【図１】従来のレバータンブラー錠の断面図で、施錠状態を示す。
【図２】この発明の一実施例によるレバータンブラー錠の線図的拡大一部横断面図で、ロッキングバーの内側縁が解錠切欠に整合した状態を示す。
【図３】ピッキングを説明するための従来のレバータンブラー錠の線図的拡大一部横断面図。
【図４】この発明の一実施例によるレバータンブラー錠の線図的拡大一部横断面図で、タンブラーの切欠に隣接する段部がロッキングバーの内側縁と整合した状態を示す。
【図５】この発明の一実施例によるレバータンブラー錠の線図的拡大一部横断面図で、ピッキング後ロッキングバーの内側縁がタンブラーの切欠に係止された状態を示す。
【符号の説明】
１  内筒
２  タンブラー
３  支軸
５  鍵孔
６  バックアップピン
７  解錠切欠
８  ロッキングバー
９  外筒
１１  カム溝
１２  切欠
【図１】
0004210426.tif 000002
【図２】
0004210426.tif 000003
【図３】
0004210426.tif 000004
【図４】
0004210426.tif 000005
【図５】
0004210426.tif 000006